(57)【特許請求の範囲】
【請求項１】
羽毛を内包した複数の分割ふとん体が、長さ方向に任意の順番で並びかつ互いの隣接部をスライドファスナーにより着脱自在に連結された羽毛ふとんにおいて、前記複数の分割ふとん体のうち最前側の分割ふとん体の前縁および最後側の分割ふとん体の後縁にフラップがスライドファスナーにより着脱自在に連結されていることを特徴とする羽毛掛けふとん。
【請求項２】
前記複数の分割ふとん体は３つの分割ふとん体で構成されている請求項１記載の羽毛掛けふとん。
【発明の詳細な説明】
【０００１】
【発明の属する技術分野】
本発明は分割可能な羽毛掛けふとんに関する。
【０００２】
【従来の技術】
図７に示すように、この種の羽毛掛けふとん１００としては、羽毛を内包した複数（例えば３つ）の分割ふとん体１０１，１０２，１０３が長さ方向（矢印Ｘ方向）に配列され、隣接部（前縁および後縁）がスライドファスナー１０４，１０５により着脱自在に連結されたものが提案されている。
この分割構造（本例では３分割）の羽毛掛けふとん１００では、一旦スライドファスナー１０４，１０５を解いて分割ふとん体１０１，１０２，１０３の配列順番を任意に変更することにより、ふとん全体の耐久性を向上できる上に、洗濯の際には一般の家庭でも分割ふとん体１０１，１０２，１０３を個別に容易に洗濯できる。
【０００３】
【発明が解決しようとする課題】
ところで、上述した羽毛掛けふとん１００の前縁および後縁にはファスナーテープ１０６，１０７がそれぞれ突き出ているので、就寝時には、最前部の分割ふとん体１０１のファスナーテープ１０６が人体の顔面や首等に接触しやすく、一方、最後部の分割ふとん体１０３のファスナーテープ１０７が人体の足等に接触しやすいため、違和感が生じ、さらには寝心地が損なわれるという問題点がある。
【０００４】
本発明は、上記従来技術の有する問題点に鑑みてなされたものであり、違和感がなくて、寝心地が損なわれない分割構造の羽毛掛けふとんを提供することを目的としている。
【０００５】
【課題を解決するための手段】
上記目的を達成するための本発明は、羽毛を内包した複数の分割ふとん体が、長さ方向に任意の順番で並びかつ互いの隣接部をスライドファスナーにより着脱自在に連結された羽毛ふとんにおいて、前記複数の分割ふとん体のうち最前側の分割ふとん体の前縁および最後側の分割ふとん体の後縁にフラップがスライドファスナーにより着脱自在に連結されていることを特徴とするものである。
ここで、前記複数の分割ふとん体は３つの分割ふとん体で構成されているものとすることができる。
【０００６】
この発明の羽毛掛けふとんにおいては、その最前部および最後部がそれぞれフラップ（布や生地等）となっているので、就寝時には、前記フラップが顔面や首、足等に接触して従来のようなスライドファスナーによる違和感が生じず、寝心地が損なわれない。
【０００７】
【発明の実施の形態】
次に、本発明の一実施形態について図面を参照して説明する。
図１は本発明の羽毛掛けふとんの一実施形態の平面図、図２は図１の斜視図、図３は図１に示した羽毛掛けふとんの連結前の平面図、図４は図１乃至図３においてフラップを巻込んだ状態を示す縦断面図である。
【０００８】
各図に示すように、本実施形態の羽毛掛けふとん１（例えばシングルサイズのもの）の全体構造としては、羽毛を内包した外観矩形状の複数（本例では３つ）の分割ふとん体２，３，４が、長さ方向（矢印Ｘ方向）に任意の順番で直列に並びかつ互いの隣接部をスライドファスナー６，７により着脱自在に連結されたものである。すなわち、隣接する分割ふとん体２，３の互いに対向する端部（隣接部）同士を幅方向に延びるスライドファスナー６により着脱自在に連結するとともに、隣接する分割ふとん体３，４の互いに対向する端部（隣接部）同士を幅方向に延びるスライドファスナー７により着脱自在に連結したものである。また、最前部の分割ふとん体２の前縁には、この分割ふとん体２と同じ幅寸法のフラップ８ａ（フリル）がスライドファスナー９により着脱自在に連結され、最後部の分割ふとん体４の後縁には、この分割ふとん体４と同じ幅寸法のフラップ８ｂ（フリル）がスライドファスナー１０により着脱自在に連結されている。前記フラップ８ａ，８ｂとしては、例えば肌触りのよい生地および布や、不織布等を使用することができ、その長さは例えば１２ｃｍ程度となっている。
【０００９】
各分割ふとん体２，３，４の構造が同一となっているので、ここでは１つの分割ふとん体２を例に挙げて説明すると、羽毛の吹出防止加工が施された矩形状の上下２枚のダウンプルーフ生地１１ａ，１１ｂ（図４参照、以下、それぞれ上生地、下生地という）間に、所定量の羽毛Ｆ（図４参照）が収容され、上生地１１ａおよび下生地１１ｂの周縁が互いに縫着されているとともに、羽毛Ｆの偏り防止用のキルティング縫合部１３（公知技術）が桝目状に施されて羽毛内包部１２が構成されている。羽毛内包部１２の長さおよび幅寸法はそれぞれ例えば８０ｃｍ，１５０ｃｍ程度になっている。この羽毛内包部１２の両側縁には継ぎ生地１４ａ，１４ｂ（その幅寸法は例えば２０ｃｍ程度）が縫着されている。なお、この継ぎ生地１４ａ，１４ｂは設けなくてもよい。羽毛内包部１２の前縁には、スライドファスナー９の他方のファスナーテープ９ａが幅方向全域に縫着され、羽毛内包部１２の後縁には、スライドファスナー６の一方のファスナーテープ６ａ（スライダ６ｃを備えている）が幅方向全域に縫着されている。
【００１０】
他の分割ふとん体３，４も前記分割ふとん体２と同様な構造になっている。すなわち、分割ふとん体３の羽毛内包部１２の前縁には、スライドファスナー６の他方のファスナーテープ６ｂが幅方向ほぼ全域に縫着されており、さらにこの羽毛内包部１２の後縁には、スライドファスナー７の一方のファスナーテープ７ａ（スライダ７ｃを備えている）が幅方向ほぼ全域に縫着されている。分割ふとん体４の羽毛内包部１２の前縁には、スライドファスナー９の他方のファスナーテープ９ｂが幅方向ほぼ全域に縫着されており、さらにこの羽毛内包部１２の後縁には、スライドファスナー１０の一方のファスナーテープ１０ａ（スライダ１０ｃを備えている）が幅方向ほぼ全域に縫着されている。前側のフラップ８ａの後端にはスライドファスナー９の一方のファスナーテープ９ａ（スライダ９ｃを備えている）が縫着されており、後側のフラップ７ｂの前端にはスライドファスナー１０の他方のファスナーテープ１０ｂが縫着されている。
【００１１】
上記実施形態の羽毛掛けふとん１は、その最前部および最後部がそれぞれフラップ８ａ，８ｂとなっているので、就寝時には、前記フラップ８ａ，８ｂが人体の顔面や首、足等に接触して違和感が生じず、寝心地が損なわれない。また、図４に示したように、フラップ８ａ，８ｂを下方へ折り曲げて巻込ませて使用してもよい。
各スライドファスナー６，７，９，１０を一旦解いて、分割ふとん体２，３，４の配列順番（６通りある）を任意に変更することができる。
そして、洗濯の際には、各スライドファスナー６，７，９，１０を一旦解いて、分割ふとん体２，３，４およびフラップ８ａ，８ｂにそれぞれ分離することにより、一般の家庭洗濯機を使用して個別に容易に洗濯することができる。
【００１２】
なお、分割ふとん体の数は３つに限らない。すなわち、図５に示すように、例えば２つの分割ふとん体２，３とその両端のフラップ８ａ，８ｂがスライドファスナーにより直列に連結された子供用のものや、また、図６に示すように、例えば４つの分割ふとん体２，３，４，５とその両端のフラップ８ａ，８ｂがスライドファスナーにより直列に連結された特大サイズ（長身者用）のものとすることができる。さらに、１つの分割ふとん体の両端にそれぞれフラップをスライドファスナーにより連結してもよい。
【００１３】
【発明の効果】
本発明は、以上説明したとおりに構成されているので、その最前部および最後部がそれぞれフラップ（フリル）となっていることにより、就寝時には、前記フラップが顔面や首、足等に接触して従来のようなスライドファスナーによる違和感が生じず、心地良い寝心地を得ることができる。
【図面の簡単な説明】
【図１】  本発明の羽毛掛けふとんの一実施形態の平面図である。
【図２】  図１の斜視図である。
【図３】  図１に示した羽毛掛けふとんの連結前の平面図である。
【図４】  図１乃至図３においてフラップを巻込んだ状態を示す縦断面図である。
【図５】  本発明の羽毛掛けふとんの他の実施形態を示す斜視図である。
【図６】  本発明の羽毛掛けふとんのさらに他の実施形態を示す斜視図である。
【図７】  従来の羽毛掛けふとんの斜視図である。
【符号の説明】
１  羽毛掛けふとん
２，３，４，５  分割ふとん体
６，７，９，１０  スライドファスナー
８ａ，８ｂ  フラップ
Ｆ  羽毛
【図１】
0004330212.tif 000002
【図２】
0004330212.tif 000003
【図３】
0004330212.tif 000004
【図４】
0004330212.tif 000005
【図５】
0004330212.tif 000006
【図６】
0004330212.tif 000007
【図７】
0004330212.tif 000008